【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させ、内部抽選で特定役が当選した場合に、特定操作態様で停止操作が行われた場合には前記特定役が入賞するように回転中のリールを停止させ、前記特定操作態様とは異なる操作態様で停止操作が行われた場合には前記特定役が入賞しないように回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
特定遊技区間において特別演出状態を含む複数種類の演出状態の間で演出状態を移行させ、前記特定遊技区間ではない場合に通常演出状態に滞在させ、前記通常演出状態において演出状態を前記特別演出状態に移行させるか否かを決定し、前記特別演出状態において前記特別演出状態の終了条件が成立した場合に当該特別演出状態を終了させる特別演出状態制御手段と、
前記特定遊技区間を含む複数種類の遊技区間の間で遊技区間を移行させ、前記特定遊技区間において特定カウンタの値を更新して前記特定カウンタの値に基づいて演出状態を前記通常演出状態に初期化する初期化処理を実行する初期化手段と、
前記特別演出状態において内部抽選で前記特定役が当選した場合に前記特定操作態様を示す遊技情報を報知する遊技情報報知を報知装置に実行させる制御を行う報知制御手段とを備えた遊技機であって、
前記初期化手段が、
前記特定遊技区間では演出状態の変動に関わらずに前記特定カウンタの値に基づいて当該特定遊技区間を終了させるか否かを決定し、当該特定遊技区間の終了時において演出状態が前記特別演出状態である場合には前記特別演出状態の終了条件が成立していなくても前記初期化処理によって強制的に当該特別演出状態を終了させ、
前記報知制御手段が、
前記特定遊技区間において前記特定遊技区間中であることを報知する特定遊技区間報知を前記報知装置に実行させることを特徴とする遊技機。
【請求項２】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させ、内部抽選で特定役が当選した場合に、特定操作態様で停止操作が行われた場合には前記特定役が入賞するように回転中のリールを停止させ、前記特定操作態様とは異なる操作態様で停止操作が行われた場合には前記特定役が入賞しないように回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
特定遊技区間において特別演出状態を含む複数種類の演出状態の間で演出状態を移行させ、前記特定遊技区間ではない場合に通常演出状態に滞在させ、前記通常演出状態において演出状態を前記特別演出状態に移行させるか否かを決定し、前記特別演出状態において前記特別演出状態の終了条件が成立した場合に当該特別演出状態を終了させる特別演出状態制御手段と、
前記特定遊技区間を含む複数種類の遊技区間の間で遊技区間を移行させ、前記特定遊技区間において特定カウンタの値を更新して前記特定カウンタの値に基づいて演出状態を前記通常演出状態に初期化する初期化処理を実行する初期化手段と、
前記特別演出状態において内部抽選で前記特定役が当選した場合に内部抽選の結果を示す遊技情報を報知する遊技情報報知を報知装置に実行させる制御を行う報知制御手段とを備えた遊技機であって、
前記初期化手段が、
前記特定遊技区間では演出状態の変動に関わらずに前記特定カウンタの値に基づいて当該特定遊技区間を終了させるか否かを決定し、当該特定遊技区間の終了時において演出状態が前記特別演出状態である場合には前記特別演出状態の終了条件が成立していなくても前記初期化処理によって強制的に当該特別演出状態を終了させ、
前記報知制御手段が、
前記特定遊技区間において前記特定遊技区間中であることを報知する特定遊技区間報知を前記報知装置に実行させることを特徴とする遊技機。
【請求項３】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させ、内部抽選で特定役が当選した場合に、特定操作態様で停止操作が行われた場合には前記特定役が入賞するように回転中のリールを停止させ、前記特定操作態様とは異なる操作態様で停止操作が行われた場合には前記特定役が入賞しないように回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
特定遊技区間において特別演出状態を含む複数種類の演出状態の間で演出状態を移行させ、前記特定遊技区間ではない場合に通常演出状態に滞在させ、前記通常演出状態において演出状態を前記特別演出状態に移行させるか否かを決定し、前記特別演出状態において前記特別演出状態の終了条件が成立した場合に当該特別演出状態を終了させる特別演出状態制御手段と、
前記特定遊技区間を含む複数種類の遊技区間の間で遊技区間を移行させ、前記特定遊技区間において特定カウンタの値を更新して前記特定カウンタの値に基づいて演出状態を前記通常演出状態に初期化する初期化処理を実行する初期化手段と、
前記特別演出状態において内部抽選で前記特定役が当選した場合に内部抽選で当選した当選役を示す遊技情報を報知する遊技情報報知を報知装置に実行させる制御を行う報知制御手段とを備えた遊技機であって、
前記初期化手段が、
前記特定遊技区間では演出状態の変動に関わらずに前記特定カウンタの値に基づいて当該特定遊技区間を終了させるか否かを決定し、当該特定遊技区間の終了時において演出状態が前記特別演出状態である場合には前記特別演出状態の終了条件が成立していなくても前記初期化処理によって強制的に当該特別演出状態を終了させ、
前記報知制御手段が、
前記特定遊技区間において前記特定遊技区間中であることを報知する特定遊技区間報知を前記報知装置に実行させることを特徴とする遊技機。
【請求項４】
請求項１〜３のいずれかにおいて、
役として小役が設定され、
前記小役が入賞した場合に、入賞した小役の配当に基づいて、払い出す遊技媒体の数を決定し、決定した数の遊技媒体を払い出す制御を行う払出制御手段を備え、
前記特定役は前記小役として設定され、
前記報知制御手段が、
前記小役の入賞に伴い遊技媒体が払い出された場合に当該小役の入賞に伴い払い出した遊技媒体の数である払出数を報知する払出数報知を前記報知装置に実行させ、
前記特別演出状態において内部抽選で前記特定役が当選した場合に、前記リールの回転中に前記遊技情報報知を前記報知装置に実行させ、前記小役が入賞した場合に、前記遊技情報報知に替えて前記払出数報知を前記報知装置に実行させることを特徴とする遊技機。
【請求項５】
外周面に複数種類の図柄が配列されている複数のリールと、
小役を含む複数種類の役の当否を決定する内部抽選を行う内部抽選手段と、
前記複数のリールを遊技毎に回転させ、停止操作を契機として、内部抽選の結果に応じた態様で回転中のリールを停止させ、内部抽選で特定役が当選した場合に、特定操作態様で停止操作が行われた場合には前記特定役が入賞するように回転中のリールを停止させ、前記特定操作態様とは異なる操作態様で停止操作が行われた場合には前記特定役が入賞しないように回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
前記小役が入賞した場合に、入賞した小役の配当に基づいて、払い出す遊技媒体の数を決定し、決定した数の遊技媒体を払い出す制御を行う払出制御手段と、
特定遊技区間において特別演出状態を含む複数種類の演出状態の間で演出状態を移行させ、前記特定遊技区間ではない場合に通常演出状態に滞在させ、前記通常演出状態において演出状態を前記特別演出状態に移行させるか否かを決定し、前記特別演出状態において前記特別演出状態の終了条件が成立した場合に当該特別演出状態を終了させる特別演出状態制御手段と、
前記特定遊技区間を含む複数種類の遊技区間の間で遊技区間を移行させ、前記特定遊技区間において特定カウンタの値を更新して前記特定カウンタの値に基づいて演出状態を前記通常演出状態に初期化する初期化処理を実行する初期化手段と、
前記小役の入賞に伴い遊技媒体が払い出された場合に当該小役の入賞に伴い払い出した遊技媒体の数である払出数を報知する払出数報知を報知装置に実行させる制御を行う報知制御手段と、
前記特別演出状態である場合に前記特定操作態様を報知して前記特定役の入賞を補助する入賞補助演出を演出装置に実行させる制御を行う演出制御手段とを備えた遊技機であって、
前記初期化手段が、
前記特定遊技区間では演出状態の変動に関わらずに前記特定カウンタの値に基づいて当該特定遊技区間を終了させるか否かを決定し、当該特定遊技区間の終了時において演出状態が前記特別演出状態である場合には前記特別演出状態の終了条件が成立していなくても前記初期化処理によって強制的に当該特別演出状態を終了させ、
前記報知制御手段が、
前記特定遊技区間において前記特定遊技区間中であることを報知する特定遊技区間報知を前記報知装置に実行させることを特徴とする遊技機。
【請求項６】
外周面に複数種類の図柄が配列されている複数のリールと、
所定の投入口に投入された遊技媒体を予め定められたクレジット上限数を限度としてクレジット可能とし、クレジットされた遊技媒体の数をクレジット数として記憶し、所定の投入操作手段に対する操作に基づいて、クレジットされた遊技媒体を予め定められた規定投入数を限度として投入状態に設定する制御を行う投入受付手段と、
前記遊技媒体のクレジット数を報知するクレジット数報知を報知装置に実行させる制御を行う報知制御手段と、
小役を含む複数種類の役の当否を決定する内部抽選を行う内部抽選手段と、
前記複数のリールを遊技毎に回転させ、停止操作を契機として、内部抽選の結果に応じた態様で回転中のリールを停止させ、内部抽選で特定役が当選した場合に、特定操作態様で停止操作が行われた場合には前記特定役が入賞するように回転中のリールを停止させ、前記特定操作態様とは異なる操作態様で停止操作が行われた場合には前記特定役が入賞しないように回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
前記小役が入賞した場合に、入賞した小役の配当に基づいて、払い出す遊技媒体の数を決定し、決定した数の遊技媒体を払い出す制御を行う払出制御手段と、
特定遊技区間において特別演出状態を含む複数種類の演出状態の間で演出状態を移行させ、前記特定遊技区間ではない場合に通常演出状態に滞在させ、前記通常演出状態において演出状態を前記特別演出状態に移行させるか否かを決定し、前記特別演出状態において前記特別演出状態の終了条件が成立した場合に当該特別演出状態を終了させる特別演出状態制御手段と、
前記特定遊技区間を含む複数種類の遊技区間の間で遊技区間を移行させ、前記特定遊技区間において特定カウンタの値を更新して前記特定カウンタの値に基づいて演出状態を前記通常演出状態に初期化する初期化処理を実行する初期化手段と、
前記特別演出状態である場合に前記特定操作態様を報知して前記特定役の入賞を補助する入賞補助演出を演出装置に実行させる制御を行う演出制御手段とを備えた遊技機であって、
前記初期化手段が、
前記特定遊技区間では演出状態の変動に関わらずに前記特定カウンタの値に基づいて当該特定遊技区間を終了させるか否かを決定し、当該特定遊技区間の終了時において演出状態が前記特別演出状態である場合には前記特別演出状態の終了条件が成立していなくても前記初期化処理によって強制的に当該特別演出状態を終了させ、
前記報知制御手段が、
前記特定遊技区間において前記特定遊技区間中であることを報知する特定遊技区間報知を前記報知装置に実行させることを特徴とする遊技機。
【請求項７】
外周面に複数種類の図柄が配列されている複数のリールと、
ボーナス、小役を含む複数種類の役の当否を決定する内部抽選を行い、内部抽選で当選した役を当選状態に設定する内部抽選手段と、
前記複数のリールを遊技毎に回転させ、停止操作を契機として、内部抽選の結果に応じた態様で回転中のリールを停止させ、内部抽選で特定役が当選した場合に、特定操作態様で停止操作が行われた場合には前記特定役が入賞するように回転中のリールを停止させ、前記特定操作態様とは異なる操作態様で停止操作が行われた場合には前記特定役が入賞しないように回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
前記小役が入賞した場合に、入賞した小役の配当に基づいて、払い出す遊技媒体の数を決定し、決定した数の遊技媒体を払い出す制御を行う払出制御手段と、
通常状態とボーナス状態とを含む複数種類の遊技状態の間で遊技状態を移行させ、前記ボーナスが入賞したことに基づいて遊技状態を前記ボーナス状態に移行させる遊技状態移行制御手段と、
特定遊技区間において特別演出状態を含む複数種類の演出状態の間で演出状態を移行させ、前記特定遊技区間ではない場合に通常演出状態に滞在させ、前記通常演出状態において演出状態を前記特別演出状態に移行させるか否かを決定し、前記特別演出状態において前記特別演出状態の終了条件が成立した場合に当該特別演出状態を終了させる特別演出状態制御手段と、
前記特定遊技区間を含む複数種類の遊技区間の間で遊技区間を移行させ、前記特定遊技区間において特定カウンタの値を更新して前記特定カウンタの値に基づいて演出状態を前記通常演出状態に初期化する初期化処理を実行する初期化手段と、
前記ボーナス状態において前記小役の入賞に伴い払い出した遊技媒体の数である払出数の合計数を報知するボーナス払出数報知を報知装置に実行させる制御を行う報知制御手段と、
前記特別演出状態である場合に前記特定操作態様を報知して前記特定役の入賞を補助する入賞補助演出を演出装置に実行させる制御を行う演出制御手段とを備えた遊技機であって、
前記内部抽選手段が、
前記通常状態では前記ボーナスが当選する場合が存在するように内部抽選を行い、
前記ボーナス状態では前記小役が前記通常状態よりも高確率で当選状態に設定されるように制御を行い、
前記初期化手段が、
前記特定遊技区間では演出状態の変動に関わらずに前記特定カウンタの値に基づいて当該特定遊技区間を終了させるか否かを決定し、当該特定遊技区間の終了時において演出状態が前記特別演出状態である場合には前記特別演出状態の終了条件が成立していなくても前記初期化処理によって強制的に当該特別演出状態を終了させ、
前記報知制御手段が、
前記特定遊技区間において前記特定遊技区間中であることを報知する特定遊技区間報知を前記報知装置に実行させることを特徴とする遊技機。